(57)【要約】      （修正有）【課題】蘚苔類からなる群から選択される苔類を無機質素材のリサイクル素材あるいは合成樹脂およびチタン、ステンレス金属、ガラス等を基材とした網状構造体に、天然高分子物質、半合成高分子物質、合成高分子物質体などの素材を含有させた不定形空間に、水道水と連結された噴射ノズル等による圧力エネルギーにより苔類を活着し固定化して植裁する為の工法および緑化構造体を環境保全、生態系の復元、美観の改善、公共芸術などに利用する方法を提供すること。【解決手段】蘚苔類からなる群から選択される苔類と水道水の圧力エネルギーにより圧着し固定化した網状構造体を、建物、壁、屋上、石造物、彫刻などの表面に貼付すると、施工初期の１〜２ヶ月後には、これらの構造物とその環境に順応し緑色の再生芽と共に生体物としての苔が鮮やか生育し、自然における苔の絨毯状の緑景観を創出できる。【選択図】図１
2005245408.tif 000002
【特許請求の範囲】
【請求項１】
蘚苔類からなる群から選択される苔類を、水道水の圧力エネルギーである「水圧」により網状構造体に定着し固定化する工法および構造体。
【請求項２】
蘚苔類からなる群から選択される苔類を、水道水の圧力エネルギーにより超吸水性繊維および超吸水性合成樹脂と混合し成形した苔類が網状構造体に活着し固定化する工法および構造体。
【請求項３】
蘚苔類からなる群から選択される苔類を、水道水の圧力エネルギーにより超吸水性繊維および超吸水性合成樹脂と混合し成形した苔シートを栽培し、生ゴケ（種苔植え付け約１年以降、成長した植物体）と一般的に称される状態に生育させ水道水の圧力エネルギーにより網状構造体に活着し固定化する工法および構造体。
【請求項４】
蘚苔類からなる群から選択される苔類を、特殊不定形空間を形成している網状構造体に、水道に連結された噴射ノズル等による圧力エネルギーにより網状構造体の裏面あるいは側面および表面から、苔の植物体が上部表面の網状を越えるまで表われるまで活着し固定化した工法および構造体。
【請求項５】
蘚苔類からなる群から選択される苔類を、特殊不定形空間を形成している網状構造体に水道水の圧力エネルギーにより圧着された底辺部に、超吸収繊維保水材および親水性不織布を塗布し接着した工法および構造体。
【請求項６】
蘚苔類からなる群から選択される苔類を、特殊不定形空間を形成している網状構造体の周囲の断面から剥落しないようにアルギン酸カルシウム溶液を塗布して通水、通気、保水機能を保持したマイクロカプセル層をつくり強固に固定化させた工法および構造体。
【請求項７】
蘚苔類からなる群から選択される苔類を、超吸水性繊維および超吸水性合成樹脂を水道水の圧力エネルギーによる「水圧および水流」により、洗浄し混合し成形した苔シートの製造工法および、生ゴケ（種苔植え付け約１年以降、成長した植物体）と一般的に称される状態に生育させる栽培ノウハウの栽培工法。
【請求項８】
蘚苔類からなる群から選択される苔類を、水道水の圧力エネルギーにより洗浄し成形する種苗の製造工法。
【発明の詳細な説明】
【技術分野】
【０００１】
本発明は蘚苔類からなる群から選択される苔類からなる苔シートを栽培し生育した生ゴケ状の苔を網状構造体内に「水圧」により固定化して増殖し生育させることにより、苔類を環境改善、景観改善の緑化資材に利用する為の用途範囲を拡大させ、且つ簡便に加工が可能にせしめる素材を提供させる工法と構造体を提供するものである。
【背景技術】
【０００２】
苔類は、天然には古木、湿地、岩石などに生育する植物であり、一般に、人工的に栽培することが難しいといわれているが、近年このような苔類が建築物の壁、屋上などに栽培し生育できる各種の緑化技術が生まれている。例えば、有機物と接着剤で混合されたシート状に成形したもの。コケ類を有機物と接着剤で混合されたシート。コンクリートと混合して吹きつける等、あるいはそれらをネット状もしくは網状構造体などに種コケを定着し栽培させる方法である。しかしながら、ネットあるいは網状構造体が隠れるまでの苔の成長には時間を要し、植物体の変異から生育障害が起きやすく１年後ぐらいからは、高温多湿時に起きる菌類の発生による細胞破壊とか、植物体の自らの自重と風圧あるいは多くは鳥被害による剥落がおき未だに成功していないのが現状である。これらの多くの技術は、無機質な物理工学的な強制力を伴う技術に頼り過ぎているのが現状であるので、植物本来の生命力を誘導あるいは生かせる生命工学からの視点が必然である。
【特許文献１】公開番号２００３−１２９４８１公報
【特許文献２】公開番号２００２−３６２６７公報
【特許文献３】公開番号２００２−１８６３５０公報
【特許文献４】公開番号２００１−９８５５５公報
【特許文献５】公開番号２００１−２９２６３３公報
【特許文献６】公開番号２００１−２０２８７公報
【特許文献７】公開番号２００２−５８３３５公報
【特許文献８】特許公開平１１−７５５３２公報
【特許文献９】特許公開平７−２２７１４３公報
【特許文献１０】特許公開平６−１７３２６７公報
【特許文献１１】国際公開番号ＷＯ００/１１９３２公報
【特許文献１２】国際公開番号ＷＯ９９/３９５６４公報
【発明の開示】
【発明が解決しようとする課題】
【０００３】
苔類を比較的簡便に早期に人工的に生育させるための方法と、網状構造体が苔の茎葉体の先端部により隠れる程度に成長し、自然における苔の絨毯状の緑景観を保証し確保できる定着あるいは活着および固定化方法などが求められている。
【課題を解決するための手段】
【０００４】
本発明は蘚苔類からなる群から選択される苔類からなる苔シートを栽培し生育した生ゴケ状の苔を網状構造体内に水道水の圧力エネルギーである水圧と洗浄により生育障害を起こす不純物を除去し固定化し生育繁殖し植栽する工法と構造体を提供するものである。
【０００５】
本発明は蘚苔類からなる群から選択される苔類からなる苔シートを栽培し生育した生ゴケ状の苔を網状構造体内に一般家庭用の水道水の圧力エネルギーである「水圧」により植物体の形状を損なわずに圧着させ景観上の緑色絨毯形状を保持させる工法と構造体を提供するものである。
【０００６】
本発明は蘚苔類からなる群から選択される苔類を生ゴケ状に栽培し網状構造体内および裏面、側面あるいは表面に水道水の圧力エネルギーである「水圧」により固定し活着する方法を提供するものである。
【０００７】
蘚苔類からなる群から選択される苔類を、水道水の供給可能水圧力 ２kg/平方cm〜５kg/平方cmによる圧力エネルギーによりコロニー状あるいはシート状に生育した植物体を網状構造体に活着し固定化する工法および構造体。
【０００８】
蘚苔類からなる群から選択される苔類を、特殊不定形空間を形成している網状構造体に、水道に連結された噴射ノズル等による水圧調整をしながら、型枠形状につくられた養生壁内に網状構造体を固定し生ゴケを裏返した仮根側の裏面から、苔の植物体の上下が替わらないように形状も色彩も損なわずに茎葉体が上部表面の網状を越えて表われるまで水圧・水量を調整しながら圧着する。
また、生ゴケを網状構造体上部より噴射ノズル等による水圧・水量調整しながら圧着する事も可能である工法と構造体。
【０００９】
蘚苔類からなる群から選択される苔類を、網状構造体に水道水の圧力エネルギーである「水圧」により圧着された底辺部には、超吸収繊維保水材および親水性不織布の他、無機質素材であれば何れの素材でも接着可能である。例えば、ペットボトルなどの合成樹脂製とか溶岩礫などの軽石基盤とかステンレス板などを苔が圧着された網状構造体の裏面に接着できる。この場合の接着剤は、市販のもので良く仮根の機能しかない苔の下部組織には影響はなく生育には支障はない。また、苔が圧着された網状構造体を直接に施工基盤に取り付ける事もできるし、あるいは別途基盤に接着後にそれぞれの施工基盤に取り付けても良い。
【００１０】
蘚苔類からなる群から選択される苔類の種苗を、水道水の圧力エネルギーである「水圧および水流」により東洋紡績株式会社製超吸水性繊維ランシールおよび超吸水性合成樹脂と混合し成形する。例えば、超吸水性繊維ランシールを１平方メートル２０グラムから４０グラムと種苗１５０グラムから２５０グラムを希釈し和紙製造用の網状用具に塗布し乾燥させてシート状にする製造工法。
この種苗シートは、苗箱内に施工すると初期潅水のみにて約１〜２ヶ月で超吸水性繊維あるいは超吸水性合成樹脂の薄い膜状より苔の再生芽と言われる新芽が表われてくる。例えば、蘚類のスナゴケの場合は、約１〜２ヶ月で茎葉体が１ミリほどの高さの緑の新芽が表われ約１年後には1センチほどの高さの茎葉体に成長する。これらはそれぞれ乾燥させて種苗あるいは生ゴケシート状の製品に出来上がる。
【００１１】
このような本発明により、上記問題点が解決される。
【発明の効果】
【００１２】
本発明の工法で成形し処理して得られる緑化基盤あるいは緑化構造体の特定の苔類、あるいはこの特定の苔類を貼付した基体は、接着剤とか素手或いは苔の栽培現場あるいは流通段階における物理的な障害とか微生物あるいは雑草の種子などの混入からの影響を受けず、健全な生育が確保できる。
【００１３】
更に生ゴケ仕様による緑化基盤あるいは緑化構造体は、施工時の初期段階における苔の特徴である潤いのある緑の絨毯状の色合いと形状が保証し保持できる。
【００１４】
更に運搬性、施行時の利便性にも優れ、建物、壁面、彫刻、石造物、などの多様な施工が可能となり、省エネルギーの達成、美観の改善などの効果を奏することができる。本発明では、このような健全な苔類の固定化に適した工法と緑化構造体が提供される。
【発明を実施するための最良の形態】
【００１５】
本発明は蘚苔類からなる群から選択される苔類を生ゴケ状に栽培し網状構造体内および裏面あるいは表面に水道水の圧力エネルギーの「水圧」により固定し活着する方法に関する。このような工法および緑化構造体は、生ゴケ状の植物体のストレスを軽減し損傷を与えない簡便な工法である。
【００１６】
約１年ほど成長した生ゴケと称する苔類の最良の状態を、緑化構造物の内部あるいは表面などに圧着あるいは固定化作業には、素手による触手あるいは機械的な触手的な工具を必要としないので苔の植物体にとって変異とか生育障害を起こす直接的な外部要因による一切の支障を解決している。
【００１７】
生ゴケなどを、緑化構造物の内部あるいは表面などへの素手による圧着は微生物の混入による生育障害が起きる可能性が予想されるが、水の成分と性質を生かしたこれらの水道圧によるエネルギーによる圧着技術は植物体にとって一切の支障を排除している。
【００１８】
更に、これらの水道水の「圧力エネルギー」による苔類の圧着技術は、網状構造物はもとより自然石あるいは人工造形物などの各種構造物にも適用できる。
【００１９】
苔類の水道水の「圧力エネルギー」による圧着技術は、通常は乾燥させた仮死状態で固定化するのに比較して、水に接する事による覚醒に近い植物体での固定化であるので施工環境に早く順応する。
【００２０】
苔類の水道水の「圧力エネルギー」による圧着技術は、苔の栽培から流通段階で混入する微生物からの被害を水洗する事により一切の悪影響を排除している。
【００２１】
蘚苔類からなる群から選択される蘚類類における茎葉体の長いスナゴケ・ハイゴケ・シノブゴケなどを、水道水の圧力エネルギーである水圧および水流により超吸水性繊維および超吸水性合成樹脂と混合し成形した種苗シートの栽培から得た生ゴケシート状を、生育した茎葉体の仮根部を残してミキサーなどにより５から１０ミリの茎葉体に粉砕し種苗を得る。これらから得た種苗は、再度、水道水の水圧と水流により超吸水性繊維あるいは超吸水性合成樹脂と混合しシート状に製造する。３Rと言われるリサイクルRecycle、リデュースReduce、リユースReuseの実践であり循環型社会への構築に寄与できる。
なお、超吸水性繊維および超吸水性合成樹脂は、東洋紡績製あるいは他社製品も多種多彩に製品化されているので容易に入手可能であり、当工法および当緑化構造体の社会認知の可能性は極めて高い。
【図面の簡単な説明】
【００２２】
苔の固定化工法と緑化構造体の実施方法を示した説明図である。
【図１】水道水の圧力エネルギーによる苔の固定化工法と緑化構造体を示した断面図である。
【図２】水道水の噴射ノズルによる苔の固定化工法と緑化構造体を示した断面図である。
【符号の説明】
【００２３】
１  網状構造体
２  苔類
３  水流
４  養生壁
５  網状構造体
６  水抜き基盤
７  養生壁
８  苔類
９  噴射ノズル
１０水流
【図１】
2005245408.tif 000003
【図２】
2005245408.tif 000004